(57)【要約】【課題】  ＦＰＣ等の接続対象物のコネクタへの挿入時に座屈が起り難く、構造が簡素で、操作に大きい力が要求されず、しかも、アクチュエータに堅牢性が要求されないコネクタを提供する。【解決手段】  複数の第１コンタクト３と複数の第２コンタクト４とは、千鳥状にずれてハウジング２に配置されている。第１コンタクトは、接点部３ａ１が形成されている弾性変形可能な上梁部３ａを有する。ＦＰＣ６のコネクタ１への嵌合方向において、第１コンタクトの接点部はコネクタの嵌合部２ａの入口に近く配設され、第２コンタクトの接点部は嵌合部の入口から遠く配設される。第１コンタクトの接点部は、上梁が変形することにより変位してＦＰＣと接続し、第２コンタクトの接点部は、アクチュエータ５が操作されることにより変位してＦＰＣと接続する。【選択図】  図２
2006269240.tif 000002
【特許請求の範囲】
【請求項１】
コネクタは、接続対象物とそれぞれ接続する第１コンタクト及び第２コンタクトと、前記第１コンタクト及び前記第２コンタクトを保持するハウジングと、前記接続対象物との接続位置と非接続位置との間で移動可能に前記ハウジングに保持されている操作部材とを有し、
前記第１コンタクトは、接点部が形成されている弾性変形可能な梁部を有し、
前記接続対象物の前記コネクタへの嵌合方向において、前記第１コンタクトの接点部は前記コネクタの嵌合部の入口に近く配設され、前記第２コンタクトの接点部は前記コネクタの嵌合部の入口から遠く配設され、
前記接続対象物と接続する際、前記第１コンタクトの接点部は、前記梁部が弾性変位して前記接続対象物と接続し、前記第２コンタクトの接点部は、前記操作部材を操作することにより変位して前記接続対象物と接続することを特徴とするコネクタ。
【請求項２】
前記第１コンタクトは前記梁部と対向する第２梁部を有し、前記第２梁部は前記第１コンタクトの接点部と対向する位置に当接部を有し、前記接続対象物は前記第１コンタクトの接点部と前記当接部とに挟持されることを特徴とする請求項１記載のコネクタ。
【請求項３】
前記ハウジングに当接部が形成され、前記接続対象物は前記第１コンタクトの接点部と前記当接部とに挟持されることを特徴とする請求項１記載のコネクタ。
【発明の詳細な説明】
【技術分野】
【０００１】
本発明は、ＦＰＣ（フレキシブル・プリンテッド・サーキット）、ＦＦＣ（フレキシブル・フラット・ケーブル）等の接続対象物と接続するコネクタに関し、詳しく述べると、千鳥状にずれて配置されている２列のコンタクトを有するコネクタに関する。
【背景技術】
【０００２】
まず、第１の従来のＦＰＣ用コネクタの要点について説明する（例えば、特許文献１参照。）。
【０００３】
コネクタのハウジングに多数の第１コンタクトが１列に配設され、また、多数の第２コンタクトが１列に配設されている。各第１コンタクトと各第２コンタクトとは、千鳥状にずれて配置されている。各第１コンタクトは、ＦＰＣがコネクタのハウジングに嵌合する入口の近くに配設され、また、各第２コンタクトは、入口から若干遠くに配設されている。
【０００４】
各第１コンタクトと各第２コンタクトは、いずれもＺＩＦ（ゼロ・インサーション・フォース）構造である。
【０００５】
したがって、ＦＰＣがコネクタに挿入された後に、各第１コンタクトの接点部と各第２コンタクトの接点部は、アクチュエータ（操作部材）を操作することにより、ＦＰＣの表面に形成されている信号パターンに圧接され、ＦＰＣとコネクタは、接続する。
【０００６】
次に、第２の従来のＦＰＣ用コネクタの要点について説明する（例えば、特許文献２，３参照。）。
【０００７】
第２の従来のＦＰＣ用コネクタは、第１の従来のＦＰＣ用コネクタと対比して、各第２コンタクトがＮＯＮ−ＺＩＦ構造である点で相違し、その他の点では同様である。
【０００８】
【特許文献１】特開２００２−１９０３６０号公報
【特許文献２】特開２００４−３３５２００号公報
【特許文献３】特開２００４−３１９３４９号公報
【発明の開示】
【発明が解決しようとする課題】
【０００９】
第１の従来のＦＰＣ用コネクタは、ＦＰＣをコネクタのハウジングに挿入し易いという長所を有する。しかし、アクチュエータが各第１コンタクトと各第２コンタクトを操作するので、コネクタは、構造が複雑になり、また、操作に大きい力が要求され、更に、アクチュエータに堅牢性が要求されるという短所も有する。
【００１０】
第２の従来のＦＰＣ用コネクタは、構造が簡素になり、また、操作に大きい力が要求されず、更に、アクチュエータに堅牢性が要求されないという長所を有する。しかし、第２コンタクトがＮＯＮ−ＺＩＦ構造であるので、ＦＰＣのコネクタへの嵌合開始位置から挿入力のピーク位置までの距離（図４におけるＬ２参照）が長い。したがって、このコネクタでは、ＦＰＣ挿入時の座屈が起り易い。
【００１１】
そこで、本発明は、第２の従来のＦＰＣ用コネクタを改良し、ＦＰＣ等の接続対象物のコネクタへの挿入時に座屈が起り難く、構造が簡素で、操作に大きい力が要求されず、しかも、アクチュエータに堅牢性が要求されないコネクタを提供しようとするものである。
【課題を解決するための手段】
【００１２】
本発明は、前記課題を解決するため、次の手段を採用する。
【００１３】
１．コネクタ１は、接続対象物６とそれぞれ接続する第１コンタクト３及び第２コンタクト４と、前記第１コンタクト及び前記第２コンタクトを保持するハウジング２と、前記接続対象物との接続位置と非接続位置との間で移動可能に前記ハウジングに保持されている操作部材５とを有し、前記第１コンタクトは、接点部３ａ１が形成されている弾性変形可能な梁部３ａを有し、前記接続対象物の前記コネクタへの嵌合方向において、前記第１コンタクトの接点部は前記コネクタの嵌合部２ａの入口に近く配設され、前記第２コンタクトの接点部４ａ１は前記コネクタの嵌合部の入口から遠く配設され、前記接続対象物と接続する際、前記第１コンタクトの接点部は、前記梁部が弾性変位して前記接続対象物と接続し、前記第２コンタクトの接点部は、前記操作部材を操作することにより変位して前記接続対象物と接続するコネクタ。
【００１４】
２．前記第１コンタクトは前記梁部と対向する第２梁部３ｅを有し、前記第２梁部は前記第１コンタクトの接点部と対向する位置に当接部３ｅ１を有し、前記接続対象物は前記第１コンタクトの接点部と前記当接部とに挟持される前記１記載のコネクタ。
【００１５】
３．前記ハウジングに当接部２ｂが形成され、前記接続対象物は前記第１コンタクトの接点部と前記当接部とに挟持される前記１記載のコネクタ。
【発明の効果】
【００１６】
明細書の説明から明らかなように、本発明は、次の効果を奏する。
【００１７】
１．接続対象物のコネクタへの嵌合方向において、第１コンタクトの接点部はコネクタの嵌合部の入口に近く配設され、第２コンタクトの接点部は嵌合部の入口から遠く配設され、接続対象物と接続する際、第１コンタクトの接点部は、梁部が変形することにより変位して接続対象物と接続し、第２コンタクトの接点部は、操作部材が操作されることにより変位して接続対象物と接続する。したがって、接続対象物のコネクタへの挿入時に座屈が起り難い。
【００１８】
２．構造が簡素で、操作に大きい力が要求されず、しかも、アクチュエータに堅牢性が要求されないコネクタを提供することができる。
【発明を実施するための最良の形態】
【００１９】
本発明の４つの実施例のＦＰＣ用コネクタについて説明する。
【実施例１】
【００２０】
本発明の実施例１について図１〜図４を参照して説明する。
【００２１】
図１は、ＦＰＣ用コネクタ１の断面図である。ハウジング２には、多数の第１コンタクト３と多数の第２コンタクト４とが紙面に直交する方向に一定のピッチで固定されている。各第１コンタクト３と各第２コンタクト４とは、千鳥状にずれて配置されている。また、ハウジング２には、アクチュエータ５が回転可能に取り付けられている。更に、ハウジング２には、ＦＰＣ６（図２参照）が挿入される嵌合部２ａが設けられている。
【００２２】
第１コンタクト３は、上梁部３ａ、下梁部３ｂ、ハウジング２への固定部３ｃ、及び基板への半田付け部３ｄを有する。上梁部３ａには、接点部３ａ１が突出するように形成され、下梁部３ｂには、接触部３ｂ１が突出するように形成されている。
【００２３】
図２は、図１に示されるＦＰＣ用コネクタ１の嵌合部２ａに矢印方向にＦＰＣ６が挿入され、アクチュエータ５が右回転して閉じられた状態である。第１コンタクト３の接点部３ａ１はＦＰＣ６の上面の信号パターン（図示せず）に接触し、接触部３ｂ１はＦＰＣ６の下面に接触している。上梁部３ａと下梁部３ｂは、弾性変形することができる。
【００２４】
図３は、図２の状態における第２コンタクト４とアクチュエータ５とＦＰＣ６との関係を示す断面図である。
【００２５】
第２コンタクト４は、梁部４ａ、梁部４ａから延出する被操作部４ｂ、梁部４ａと被操作部４ｂの中間に直交する連結部４ｃ、連結部４ｃに直交し、かつ、ハウジング２に固定される固定部４ｄ、及び連結部４ｃに直交し、固定部４ｄとは反対側に設けられ、かつ、基板に取り付けられる半田付け部４ｅを有する。梁部４ａには、接点部４ａ１が突出するように形成され、被操作部４ｂには、アクチュエータ５のカム部５ａと係合する係合部４ｂ１が設けられている。連結部４ｃは弾性変形することができ、また、梁部４ａも弾性変形することができるように構成することができる。
【００２６】
図３は、アクチュエータ５のカム部５ａにより被操作部４ｂが押し上げられて、梁部４ａの接点部４ａ１がＦＰＣ６の上面の信号パターン（図示せず）に接触している状態を示す。
【００２７】
図４は、本発明の実施例１（Ａ）と第２の従来のＦＰＣ用コネクタ（Ｂ）との距離に対する挿入力の比較を示すグラフである。ここにいう距離とは、ＦＰＣ６の先端がＦＰＣ用コネクタ１の嵌合部２ａの入口からハウジング２の奥部へ挿入される距離を意味し、挿入力とは、挿入に要する力を意味する。
【００２８】
ＦＰＣの嵌合開始位置から挿入力のピーク位置までの距離は、第２の従来の技術がＬ２であるのに対し、本発明はＬ１である。Ｌ１がＬ２よりも短いので、ＦＰＣ挿入時の座屈が、本発明は、第２の従来の技術よりも起り難い。
【実施例２】
【００２９】
本発明の実施例２について図５〜図７を参照して説明する。
【００３０】
なお、実施例２〜４については、実施例１と同様な点の説明を省略し、相違する点の説明を行う。
【００３１】
ＦＰＣ６が、ハウジング２の嵌合部２ａに挿入されると、第１コンタクト３の接点部３ａ１とハウジング２の平面部（当接部）２ｂとに挟持される状態になる。したがって、第１コンタクト３の上梁部３ａは、弾性変形する。
【実施例３】
【００３２】
本発明の実施例３について図８〜図１０を参照して説明する。
【００３３】
ＦＰＣ６が、ハウジング２の嵌合部２ａに挿入されると、第１コンタクト３の接点部３ａ１と第１コンタクト３の第２梁部３ｅの平面部（当接部）３ｅ１とに挟持される状態になる。したがって、第１コンタクト３の上梁部３ａは、弾性変形する。
【実施例４】
【００３４】
本発明の実施例４について図１１〜図１３を参照して説明する。
【００３５】
ＦＰＣ６が、ハウジング２の嵌合部２ａに挿入されると、第１コンタクト３の接点部３ａ１と第１コンタクト３の第２梁部３ｅに凸状に形成されている接触部（当接部）３ｅ２とに挟持される状態になる。したがって、第１コンタクト３の上梁部３ａは、弾性変形する。
【００３６】
実施例１〜４においては、アクチュエータ５は、回転可能にハウジング２に取り付けられているが、アクチュエータ５をスライド可能にハウジング２に取り付けるように設計変更することができる。
【図面の簡単な説明】
【００３７】
【図１】本発明の実施例１のＦＰＣ用コネクタの未嵌合状態の断面図であり、主としてハウジング、第１コンタクト及びアクチュエータを示す。
【図２】同ＦＰＣ用コネクタの嵌合状態の断面図であり、主としてハウジング、第１コンタクト及びアクチュエータを示す。
【図３】同ＦＰＣ用コネクタの嵌合状態の断面図であり、主としてハウジング、第２コンタクト及びアクチュエータを示す。
【図４】同ＦＰＣ用コネクタと第２の従来のＦＰＣ用コネクタとの距離に対する挿入力の比較を示すグラフである。
【図５】本発明の実施例２のＦＰＣ用コネクタの未嵌合状態の断面図であり、主としてハウジング、第１コンタクト及びアクチュエータを示す。
【図６】同ＦＰＣ用コネクタの嵌合状態の断面図であり、主としてハウジング、第１コンタクト及びアクチュエータを示す。
【図７】同ＦＰＣ用コネクタの嵌合状態の断面図であり、主としてハウジング、第２コンタクト及びアクチュエータを示す。
【図８】本発明の実施例３のＦＰＣ用コネクタの未嵌合状態の断面図であり、主としてハウジング、第１コンタクト及びアクチュエータを示す。
【図９】同ＦＰＣ用コネクタの嵌合状態の断面図であり、主としてハウジング、第１コンタクト及びアクチュエータを示す。
【図１０】同ＦＰＣ用コネクタの嵌合状態の断面図であり、主としてハウジング、第２コンタクト及びアクチュエータを示す。
【図１１】本発明の実施例４のＦＰＣ用コネクタの未嵌合状態の断面図であり、主としてハウジング、第１コンタクト及びアクチュエータを示す。
【図１２】同ＦＰＣ用コネクタの嵌合状態の断面図であり、主としてハウジング、第１コンタクト及びアクチュエータを示す。
【図１３】同ＦＰＣ用コネクタの嵌合状態の断面図であり、主としてハウジング、第２コンタクト及びアクチュエータを示す。
【符号の説明】
【００３８】
１  ＦＰＣ用コネクタ
２  ハウジング
２ａ  嵌合部
２ｂ  平面図（当接部）
３  第１コンタクト
３ａ  上梁部
３ａ１  接点部
３ｂ  下梁部
３ｂ１  接触部
３ｃ  固定部
３ｄ  半田付け部
３ｅ  第２梁部
３ｅ１  平面部（当接部）
３ｅ２  接触部（当接部）
４  第２コンタクト
４ａ  梁部
４ａ１  接点部
４ｂ  被操作部
４ｂ１  係合部
４ｃ  連結部
４ｄ  固定部
４ｅ  半田付け部
５  アクチュエータ
５ａ  カム部
６  ＦＰＣ
【図１】
2006269240.tif 000003
【図２】
2006269240.tif 000004
【図３】
2006269240.tif 000005
【図４】
2006269240.tif 000006
【図５】
2006269240.tif 000007
【図６】
2006269240.tif 000008
【図７】
2006269240.tif 000009
【図８】
2006269240.tif 000010
【図９】
2006269240.tif 000011
【図１０】
2006269240.tif 000012
【図１１】
2006269240.tif 000013
【図１２】
2006269240.tif 000014
【図１３】
2006269240.tif 000015